【手続補正書】
【提出日】平成25年1月16日(2013.1.16)
【手続補正１】
【補正対象書類名】特許請求の範囲
【補正対象項目名】全文
【補正方法】変更
【補正の内容】
【特許請求の範囲】
【請求項１】
防水性・透湿性の靴（１０）を提供するための方法（１００）であって、
少なくとも１つの透湿性ライニング（１２）と、透湿性甲革（１３）と、これらの間にある防水性・透湿性の甲革膜（１４）とから構成される上部靴組付体を構成する工程、
防水性材料から作られ、少なくとも１つの透湿性あるいは有孔の部分（１７）を有している第１ガスケット（１６）を、透湿性組付中底（１５）へ固定する工程（１０１）、
前記の靴（１０）の甲革組付体（１１）を得るために、前記上部靴組付体のラスティング用マージン（１８）を前記第１ガスケット（１６）と結合することを含み、「ＡＧＯラスティング」として知られた構成法によってラスティングする工程（１０２）、
第２ガスケット（１９）によって、前記ラスティング用マージン（１８）を前記第１ガスケット（１６）へ密封する工程（１０３）であって、前記ラスティング用マージン（１８）および前記第１ガスケット（１６）をまたぐように前記第２ガスケット（１９）を接着することを含む工程（１０３）、および
防水性密封をもたらすために、底革（２０）を前記第２ガスケット（１９）へ組み付ける材料の少なくとも接着によって組み付ける工程（１０４）であって、前記底革（２０）を前記甲革組付体（１１）へ接続することを含む工程（１０４）
からなる、防水性・透湿性の靴（１０）を提供するための方法。
【請求項２】
前記の固定工程（１０１）、ラスティング工程（１０２）および密封工程（１０３）のうちの少なくとも１つにおいて、前記甲革組付体（１１）の防水性密封が施されることを特徴とする請求項１に記載の方法。
【請求項３】
上部靴組付体を構成する前記工程は、それらの透湿性を損なうことがないように、スポット接着による、前記甲革膜（１４）と前記甲革（１３）との結合を含んでいることを特徴とする請求項１に記載の方法。
【請求項４】
上部靴組付体を構成するための前記工程は、それらの透湿性を損なうことがないように、スポット接着あるいはラミネーションによる、前記甲革膜（１４）と前記ライニング（１２）との結合を含んでいることを特徴とする請求項１に記載の方法。
【請求項５】
前記固定工程（１０１）は、防水性ポリマー材料から作られた前記第１ガスケット（１６）を、接合、加熱および押圧によって、前記組付中底（１５）へ接続するための作業を含んでいることを特徴とする請求項１に記載の方法。
【請求項６】
前記固定工程（１０１）は、少なくとも１つの防水性・透湿性プランターインサート（２２）を、防水性ポリマー材料から作られた前記第１ガスケット（１６）へ接合するための接合作業（１０５）を含んでおり、前記少なくとも１つのプランターインサート（２２）は、前記少なくとも１つの透湿性あるいは有孔の部分（１７）を覆うために、前記組付中底（１５）と前記第１ガスケット（１６）との間にあり、それを防水性・透湿性の状態に密封していることを特徴とする請求項１に記載の方法。
【請求項７】
前記接合作業（１０５）は、防水性密封部を形成するために、前記少なくとも１つのプランターインサート（２２）の少なくとも周辺部（２３）の、前記少なくとも１つの透湿性あるいは有孔の部分（１７）を包囲する領域への接合のために施されることを特徴とする請求項６に記載の方法。
【請求項８】
前記接合作業（１０５）は、前記少なくとも１つのプランターインサート（２２）の周辺部（２３）を包囲する、前記少なくとも１つのプランターインサート（２２）の周辺密封をもたらす熱可塑性ポリマー材料からなるフィルム（２４）の、前記少なくとも１つの透湿性あるいは有孔の部分（１７）の周りにある前記第１ガスケット（１６）への適用（１０６）のために施されることを特徴とする請求項６に記載の方法。
【請求項９】
前記第１ガスケット（１６）における前記少なくとも１つの透湿性あるいは有孔の部分（１７）は、防水性・透湿性材料から作られていることを特徴とする請求項１に記載の方法。
【請求項１０】
前記防水性・透湿性材料は、発泡性のポリテトラフルオロエチレン、ポリウレタンの中から選択されることを特徴とする請求項９に記載の方法。
【請求項１１】
前記ラスティング工程（１０２）は、防水性密封をもたらすために、「ＡＧＯラスティング」として知られた構成法によって、前記甲革膜（１４）の下方縁部（１４ａ）と前記甲革（１３）の下縁（１３ａ）とから構成された前記ラスティング用マージン（１８）を、前記第１ガスケット（１６）の周縁（１６ａ）の下方で、折り曲げ、かつ接合して、前記甲革膜（１４）の前記第１ガスケット（１６）への防水性密封をもたらすことを特徴とする請求項１に記載の方法。
【請求項１２】
前記ラスティング工程（１０２）は、「ＡＧＯラスティング」として知られた構成法によって、前記ライニング（１２）の下方フラップ（１２ａ）と前記甲革膜（１４）の下方縁部（１４ａ）とから構成された前記ラスティング用マージン（１８）のラスティング用第１マージン（１８ａ）を、前記第１ガスケット（１６）の周縁（１６ａ）の下方で、折り曲げ、かつ接合することからなるライニングラスティング（１０７）を含んでいることを特徴とする請求項１に記載の方法。
【請求項１３】
前記ライニングラスティング（１０７）は、防水性密封をもたらすために、「ＡＧＯラスティング」として知られた構成法によって、前記ライニング（１２）の下方フラップ（１２ａ）と前記甲革膜（１４）の下方縁部（１４ａ）とから構成された前記ラスティング用マージン（１８）のラスティング用第１マージン（１８ａ）を、前記第１ガスケット（１６）の周縁（１６ａ）の下方で、折り曲げ、かつ接合して、前記甲革膜（１４）の前記第１ガスケット（１６）への防水性密封をもたらすことからなることを特徴とする請求項１２に記載の方法。
【請求項１４】
前記ラスティング工程（１０２）は、前記ライニング（１２）の下方フラップ（１２ａ）と前記甲革膜（１４）の下方縁部（１４ａ）とから構成され、完全に一致した状態に連結された前記ラスティング用マージン（１８）のラスティング用第１マージン（１８ａ）を、「Ｓｔｒｏｂｅｌ」として知られた構成法によって、前記組付中底（１５）および前記第１ガスケット（１６）のそれぞれの周縁領域（１５ａ）および周縁（１６ａ）へ縫い付けることからなるライニングラスティングを含んでいることを特徴とする請求項１に記載の方法。
【請求項１５】
前記ライニングラスティング（１０７）は、前記下方フラップ（１２ａ）を、それが連結される前記下方縁部（１４ａ）を露出させるために、スカイビング（１０８）によって先行され、前記下方縁部（１４ａ）は、前記ライニングラスティング（１０７）の間に、前記第１ガスケット（１６）へ密封部を形成するために、その接合のための前記下方フラップ（１２ａ）を通して露出されることを特徴とする請求項１２に記載の方法。
【請求項１６】
前記ラスティング工程（１０２）は、前記甲革（１３）の下縁（１３ａ）から構成されている、前記ラスティング用マージン（１８）のラスティング用第２マージン（１８ｂ）を、「ＡＧＯラスティング」として知られた構成法によって、前記第１ガスケット（１６）の周縁（１６ａ）の下方で、折り曲げ、かつ接合し、前記下方フラップ（１２ａ）へ連結されて前記周縁（１６ａ）を覆っている前記下方縁部（１４ａ）を少なくとも部分的に覆うものである甲革ラスティング（１０９）を含んでいることを特徴とする請求項１２に記載の方法。
【請求項１７】
前記甲革ラスティング（１０９）において、前記甲革（１３）の前記下縁（１３ａ）は、折り曲げられて前記下方縁部（１４ａ）の上へ接合されており、その端部分（２５）は露出されていることを特徴とする請求項１６に記載の方法。
【請求項１８】
前記ラスティング工程（１０２）は、
前記下方縁部（１４ａ）を前記第１ガスケット（１６）へ密封することからなり、それらをまたぐような、密封用熱可塑性ポリマー材料から作られた補助ガスケット（２６）の適用（１１０）を含んでいる予備密封作業と、
「ＡＧＯラスティング」として知られた構成法によって、前記甲革（１３）の下縁（１３ａ）から構成された、前記ラスティング用マージン（１８）のラスティング用第２マージン（１８ｂ）を、前記第１ガスケット（１６）の周縁（１６ａ）の下方で、折り曲げ、かつ接合することからなり、前記下方縁部（１４ａ）を包囲する前記補助ガスケット（２６）を少なくとも部分的に覆う甲革ラスティング（１０９）と
を含んでいることを特徴とする請求項１２に記載の方法。
【請求項１９】
前記ラスティング工程（１０２）は、
前記下方縁部（１４ａ）を前記第１ガスケット（１６）へ密封することからなり、それらをまたぐような、密封用熱可塑性ポリマー材料から作られた補助ガスケット（２６）の適用を含んでいる予備密封作業と、
「ＡＧＯラスティング」として知られた構成法によって、前記甲革（１３）の下縁（１３ａ）から構成された、前記ラスティング用マージン（１８）のラスティング用第２マージン（１８ｂ）を、前記第１ガスケット（１６）の周縁（１６ａ）の下方で、折り曲げ、かつ接合することからなり、前記下方縁部（１４ａ）へ縫い付けられた前記補助ガスケット（２６）を少なくとも部分的に覆う甲革ラスティングと
を含んでいることを特徴とする請求項１４に記載の方法。
【請求項２０】
前記ラスティング工程（１０２）は、「ＡＧＯラスティング」として知られた構成法によって、前記ライニング（１２）の下方フラップ（１２ａ）と前記甲革膜（１４）の下方縁部（１４ａ）とから構成された前記ラスティング用マージン（１８）のラスティング用第１マージン（１８ａ）を、前記組付中底（１５）の周縁領域（１５ａ）の下方で、折り曲げ、かつ接合することからなるライニングラスティング（１０７）を含んでいることを特徴とする請求項１に記載の方法。
【請求項２１】
前記ラスティング工程は、前記ライニング（１２）の下方フラップ（１２ａ）と前記甲革膜（１４）の下方縁部（１４ａ）とから構成された前記ラスティング用マージン（１８）のラスティング用第１マージン（１８ａ）を、「Ｓｔｒｏｂｅｌ」として知られた構成法によって、前記組付中底（１５）の周縁領域（１５ａ）へ縫い付けることからなるライニングラスティングを含んでいることを特徴とする請求項１に記載の方法。
【請求項２２】
前記ラスティング工程（１０２）は、前記ライニングラスティング（１０７）に続き、かつ、前記甲革（１３）の下縁（１３ａ）から構成された、前記ラスティング用マージン（１８）のラスティング用第２マージン（１８ｂ）を、「ＡＧＯラスティング」として知られた構成法によって、前記第１ガスケット（１６）の周縁（１６ａ）の下方で、前記下方縁部（１４ａ）を包囲する前記周縁（１６ａ）を折り曲げ、かつ接合することからなる甲革ラスティング（１０９）を含んでいることを特徴とする請求項２０に記載の方法。
【請求項２３】
前記第２ガスケット（１９）は、熱可塑性ホットメルト接着剤からなる防水性フィルムを備えており、前記密封工程（１０３）は、防水性密封部を形成するために、前記ラスティング用マージン（１８）と前記第１ガスケット（１６）とをまたぐような前記防水性フィルムの接着を含んでいることを特徴とする請求項１に記載の方法。
【請求項２４】
上部靴組付体の構成のための前記工程は、密封要素（２７）を前記下縁（１３ａ）へそれから延出するように接続することと、
その後に、前記甲革膜（１４）を前記甲革（１３）へ連結して、前記密封要素（２７）を前記下縁（１３ａ）へ接続するための領域を防水性の状態に覆うことと
を含んでいることを特徴とする請求項２３に記載の方法。
【請求項２５】
前記密封要素（２７）は、防水性であって熱活性化可能なポリマー材料から作られており、前記密封工程（１０３）は、防水性密封部を形成するために、前記甲革膜（１４）の前記下方縁部（１４ａ）へその密封要素（２７）を接着するための前記密封要素（２７）の溶融を含んでいることを特徴とする請求項２４に記載の方法。
【請求項２６】
前記密封要素（２７）は、密封材料に対して透過性である材料から作られており、前記密封工程（１０３）は、防水性密封部を形成するために、前記下方縁部（１４ａ）を把持する前記第２ガスケット（１９）を構成する材料が前記密封要素を通る浸透を含んでいることを特徴とする請求項２４に記載の方法。
【請求項２７】
前記第２ガスケット（１９）は、熱可塑性ホットメルト接着剤からなる防水性フィルムを備えており、前記密封工程（１０３）は、防水性密封部を形成するために、前記ラスティング用マージン（１８）と前記第１ガスケット（１６）とをまたぐような、かつ、そこへの水に対して、前記端部分（２５）でそこへ接着される下方縁部（１４ａ）を密封するような、前記防水性フィルムの接着を含んでいることを特徴とする請求項１７に記載の方法。
【請求項２８】
前記第２ガスケット（１９）は、ポリウレタン、ポリエステル、ポリアミドあるいはポリオレフィンの中から選択された材料から作られた熱可塑性ホットメルト接着剤からなる防水性フィルムを備えており、前記密封工程（１０３）は、防水性密封部を形成するために、前記下縁（１３ａ）と前記補助ガスケット（２６）とをまたぐような前記防水性フィルムの接着を含んでいることを特徴とする請求項１８に記載の方法。
【請求項２９】
前記第２ガスケット（１９）は、熱可塑性ホットメルト接着剤からなる防水性フィルムを備えてなり、前記密封工程（１０３）は、防水性密封部を形成するために、前記下縁（１３ａ）と前記第１ガスケット（１６）の前記周縁（１６ａ）とをまたぐような前記防水性フィルムの接着を含んでいることを特徴とする請求項２２に記載の方法。
【請求項３０】
前記組付工程（１０４）は、前記第２ガスケット（１９）へ防水性密封部を形成するために、接着による前記底革（２０）の前記甲革組付体（１１）への接合を含んでいることを特徴とする請求項１に記載の方法。
【請求項３１】
前記組付工程（１０４）は、前記第２ガスケット（１９）へ前記底革（２０）の防水性密封をもたらすために、前記底革（２０）の少なくとも１つの構成要素を前記甲革組付体（１１）の上にオーバーモールドすることを含んでいることを特徴とする請求項１に記載の方法。